【手続補正書】
【提出日】平成28年10月11日(2016.10.11)
【手続補正１】
【補正対象書類名】特許請求の範囲
【補正対象項目名】全文
【補正方法】変更
【補正の内容】
【特許請求の範囲】
【請求項１】
アクセスポイント(AP)で多元接続ネットワークからキャリアコアネットワークへのデータ接続を確立するための方法であって、
ユーザ機器(UE)のポリシーに基づいて第1のアクセスポイント名(APN)に接続するステップであって、前記ユーザ機器とパケットデータネットワークゲートウェイ(PDN-GW)との間での前記第1のAPNへの接続がワイヤレスローカルエリアネットワーク(WLAN)を介しており、前記APNは外部ネットワークを識別し、前記UEが前記コアネットワークを介して前記外部ネットワークとどのように通信するかを判定し、前記ユーザ機器の前記ポリシーは前記第1のAPNへの前記接続が前記WLAN上でとどまることを示す、ステップと、
前記ユーザ機器がキャリアセルラーネットワークを選択した後、前記キャリアセルラーネットワークを介して第2のAPNに接続することを決定するステップと、
前記第1のAPNが前記キャリアセルラーネットワークによるアタッチAPNであることを検出するステップと、
前記第1のAPNへの前記接続が前記ポリシーに基づいて前記WLAN上でとどまるように要求されるというコンフリクトを検出するステップであって、前記コンフリクトは、前記第1のAPNへの前記PON接続がWLAN上でとどまることを前記UEの前記ポリシーが示すが、運用事業者または通信事業者が前記第1のAPNへの前記接続がワイヤレスワイドエリアネットワーク(WWAN)上でなければならないことを示すことに起因して発生する、ステップと、
前記第1のAPNへの前記接続が前記WLAN上でとどまるように要求されるという前記コンフリクトを前記検出した後、前記キャリアセルラーネットワークにアタッチするアタッチ要求を送信するステップであって、前記アタッチ要求は前記アタッチAPNとしてNULLを示す、ステップと、
前記キャリアコアネットワークからアタッチ応答を受信するステップであって、前記アタッチ応答は、前記キャリアセルラーネットワークにアタッチ中に使用されるAPNの識別情報を含む、ステップと、
前記第2のAPNが前記アタッチ応答において識別された前記APNである場合、前記第2のAPNに接続するステップと
を含む、方法。
【請求項２】
アタッチ要求を送信するステップは、前記キャリアセルラーネットワークにアタッチ中に使用されるAPNの識別情報を送信するステップを含まない、請求項1に記載の方法。
【請求項３】
前記キャリアセルラーネットワークを介して前記第1のAPNに接続するステップは、ロングタームエボリューション(LTE)ネットワークを介して前記第1のAPNに接続するステップを含む、請求項1に記載の方法。
【請求項４】
多元接続ネットワークからキャリアコアネットワークへのデータ接続を確立するための装置であって、
ユーザ機器(UE)のポリシーに基づいて第1のアクセスポイント名(APN)に接続するための手段であって、前記ユーザ機器とパケットデータネットワークゲートウェイ(PDN-GW)との間での前記第1のAPNへの接続がワイヤレスローカルエリアネットワーク(WLAN)を介しており、前記APNは外部ネットワークを識別し、前記UEが前記コアネットワークを介して前記外部ネットワークとどのように通信するかを判定し、前記ユーザ機器の前記ポリシーは前記第1のAPNへの前記接続が前記WLAN上でとどまることを示す、手段と、
前記ユーザ機器がキャリアセルラーネットワークを選択した後、前記キャリアセルラーネットワークを介して第2のAPNに接続することを決定するための手段と、
前記第1のAPNが前記キャリアセルラーネットワークによるアタッチAPNであることを検出するための手段と、
前記第1のAPNへの前記接続が前記ポリシーに基づいて前記WLAN上でとどまるように要求されるというコンフリクトを検出するための手段であって、前記コンフリクトは、前記第1のAPNへの前記PON接続がWLAN上でとどまることを前記UEの前記ポリシーが示すが、運用事業者または通信事業者が前記第1のAPNへの前記接続がワイヤレスワイドエリアネットワーク(WWAN)上でなければならないことを示すことに起因して発生する、手段と、
前記第1のAPNが前記WLAN上でとどまるように要求されるという前記コンフリクトを検出した後、前記キャリアセルラーネットワークにアタッチするアタッチ要求を送信するための手段であって、前記アタッチ要求は前記アタッチAPNとしてNULLを示す、手段と、
前記キャリアコアネットワークからアタッチ応答を受信するための手段であって、前記アタッチ応答は、前記キャリアセルラーネットワークにアタッチ中に使用されるAPNの識別情報を含む、手段と、
前記第2のAPNが前記アタッチ応答において識別された前記APNである場合、前記第2のAPNに接続するための手段と
を含む、装置。
【請求項５】
アタッチ要求を送信するための手段は、前記キャリアセルラーネットワークにアタッチ中に使用されるAPNの識別情報を送信するための手段を含まない、請求項4に記載の装置。
【請求項６】
前記キャリアセルラーネットワークを介して前記第1のAPNに接続するための手段は、ロングタームエボリューション(LTE)ネットワークを介して前記第1のAPNに接続するための手段を含む、請求項4に記載の装置。
【請求項７】
第1のアクセスポイント名(APN)に接続するための手段と前記キャリアセルラーネットワークを介して前記第1のAPNに接続するための手段とは経路セレクタを含み、送信するための手段は送信機を含み、受信するための手段は受信機を含み、決定するための手段と、前記第1のAPNがアタッチAPNであることを検出するための手段と、前記第1のAPNへの前記接続が前記WLAN上でとどまるように要求されることを検出するための手段とは、プロセッサを含む、請求項4に記載の装置。
【請求項８】
ユーザ機器(UE)で多元接続ネットワークからキャリアコアネットワークへのデータ接続を確立するための方法であって、
前記ユーザ機器のポリシーに基づいて第1のアクセスポイント名(APN)に接続するステップであって、前記ユーザ機器とパケットデータネットワークゲートウェイ(PDN-GW)との間での前記第1のAPNへの接続がワイヤレスローカルエリアネットワーク(WLAN)を介しており、前記APNは外部ネットワークを識別し、前記UEが前記コアネットワークを介して前記外部ネットワークとどのように通信するかを判定し、前記ユーザ機器の前記ポリシーは前記第1のAPNへの前記接続が前記WLAN上でとどまることを示す、ステップと、
キャリアセルラーネットワークを介して第2のAPNに接続することを決定するステップと、
前記第1のAPNが前記キャリアセルラーネットワークによるアタッチAPNであることを検出するステップと、
前記第1のAPNへの前記接続が前記ポリシーに基づいて前記WLAN上でとどまるように要求されるというコンフリクトを検出するステップであって、前記コンフリクトは、前記第1のAPNへの前記PON接続がWLAN上でとどまることを前記UEの前記ポリシーが示すが、運用事業者または通信事業者が前記第1のAPNへの前記接続がワイヤレスワイドエリアネットワーク(WWAN)上でなければならないことを示すことに起因して発生する、ステップと、
前記第1のAPNへの前記接続が前記WLAN上でとどまるように要求されるという前記コンフリクトを前記検出した後、前記キャリアセルラーネットワークにアタッチするアタッチ要求を送信するステップであって、前記アタッチ要求は、前記第2のAPNが前記アタッチAPNであるという指示を含む、ステップと、
前記第2のAPNを使用して前記キャリアセルラーネットワークにアタッチするステップとを含む、方法。
【請求項９】
前記第2のAPNへの接続は、前記ユーザ機器と第2のPDN-GWとの間で前記キャリアセルラーネットワークを介している、請求項8に記載の方法。
【請求項１０】
前記キャリアセルラーネットワークにアタッチ要求を送信するステップは、前記キャリアセルラーネットワークのサービングゲートウェイに前記アタッチ要求を送信するステップを含む、請求項8に記載の方法。
【請求項１１】
前記第2のAPNを使用して前記キャリアセルラーネットワークにアタッチするステップは、前記第2のAPNを使用してロングタームエボリューション(LTE)ネットワークにアタッチするステップを含む、請求項8に記載の方法。
【請求項１２】
多元接続ネットワークからキャリアコアネットワークへのデータ接続を確立するための装置であって、
ユーザ機器(UE)のポリシーに基づいて第1のアクセスポイント名(APN)に接続するための手段であって、前記UEとパケットデータネットワークゲートウェイ(PDN-GW)との間での前記第1のAPNへの接続がワイヤレスローカルエリアネットワーク(WLAN)を介しており、前記APNは外部ネットワークを識別し、前記UEが前記コアネットワークを介して前記外部ネットワークとどのように通信するかを判定し、前記ユーザ機器の前記ポリシーは前記第1のAPNへの前記接続が前記WLAN上でとどまることを示す、手段と、
キャリアセルラーネットワークを介して第2のAPNに接続することを決定するための手段と、
前記第1のAPNが前記キャリアセルラーネットワークによるアタッチAPNであることを検出するための手段と、
前記第1のAPNへの前記接続が前記ポリシーに基づいて前記WLAN上でとどまるように要求されるというコンフリクトを検出するための手段であって、前記コンフリクトは、前記第1のAPNへの前記PON接続がWLAN上でとどまることを前記UEの前記ポリシーが示すが、運用事業者または通信事業者が前記第1のAPNへの前記接続がワイヤレスワイドエリアネットワーク(WWAN)上でなければならないことを示すことに起因して発生する、ステップと、、
前記第1のAPNへの前記接続が前記WLAN上でとどまるように要求されるという前記コンフリクトを検出した後、前記キャリアセルラーネットワークにアタッチするアタッチ要求を送信するための手段であって、前記アタッチ要求は、前記第2のAPNが前記アタッチAPNであるという指示を含む、手段と、
前記第2のAPNを使用して前記キャリアセルラーネットワークにアタッチするための手段と
を含む、装置。
【請求項１３】
前記第2のAPNへの接続は、前記ユーザ機器と第2のPDN-GWとの間で前記キャリアセルラーネットワークを介しており、かつ／または、前記キャリアセルラーネットワークにアタッチ要求を送信するための手段は、前記キャリアセルラーネットワークのサービングゲートウェイに前記アタッチ要求を送信するための手段を含む、請求項12に記載の装置。
【請求項１４】
前記第2のAPNを使用して前記キャリアセルラーネットワークにアタッチするための手段は、前記第2のAPNを使用してロングタームエボリューション(LTE)ネットワークにアタッチするための手段を含み、かつ／または、接続するための手段およびアタッチするための前記手段は経路セレクタを含み、送信するための手段は送信機を含み、決定するための手段と、前記第1のAPNがアタッチAPNであることを検出するための手段と、前記第1のAPNへの前記接続が前記ポリシーに基づいて前記WLAN上でとどまるように要求されることを検出するための前記手段とは、プロセッサを含む、請求項12に記載の装置。
【請求項１５】
実行される場合、装置に、請求項1乃至3および8乃至11の何れか1項に記載の方法を実行させるコードを含む、非一時的コンピュータ可読記憶媒体。